(57)【要約】【課題】  キャスティングの正確さを期し得るリールシートおよび釣竿の提供を課題とする。【解決手段】  リールを釣竿に装着すべく釣竿に設けられ前記リールの座部を載置部に載置して前記座部の前後部をそれぞれ前後側の差込み部に差込むことで釣竿にリールを固定するためのリールシートであって、握り部を有するリールシート本体が設けられ、該リールシート本体の前端部の外形形状が、前記前側の差込み部の外形形状に相当する形状に形成されている。【選択図】  図１
2006345790.tif 000002
【特許請求の範囲】
【請求項１】
リールを釣竿に装着すべく釣竿に設けられ前記リールの座部を載置部に載置して前記座部の前後部をそれぞれ前後側の差込み部に差込むことで釣竿にリールを固定するためのリールシートであって、握り部を有するリールシート本体が設けられ、該リールシート本体の前端部の外形形状が、前記前側の差込み部を有して座部の前部を固定するための固定部材の外形形状に相当する形状に形成されていることを特徴とするリールシート。
【請求項２】
載置部の側面部は平面視してリールシート本体の軸心側に向けて窪む湾曲面に形成されていることを特徴とする請求項１記載のリールシート。
【請求項３】
握り部を握った際に手指がリールシート本体に挿通された釣竿の基部に接触するようリールシート本体に切欠が設けられていることを特徴とする請求項１または請求項２記載のリールシート。
【請求項４】
載置部の上面部にリールシート本体に挿通される釣竿の基部の外周面の一部が挿入される切欠が形成されていることを特徴とする請求項１乃至請求項３の何れかに記載のリールシート。
【請求項５】
載置部が下方に向けて窪むよう湾曲していることを特徴とする請求項１乃至請求項４の何れかに記載のリールシート。
【請求項６】
手指を掛けるトリガーがリールシート本体の下面に突設され、該トリガーは前後に対で配置され、前方のトリガーは切欠の後方に配置されていることを特徴とする請求項１乃至請求項５の何れかに記載のリールシート。
【請求項７】
請求項１乃至請求項６の何れかに記載のリールシートを備えたことを特徴とする釣竿。
【発明の詳細な説明】
【技術分野】
【０００１】
本発明は、リールを釣竿に固定するためのリールシートおよびそれを備えた釣竿に関する。
【背景技術】
【０００２】
従来、ルアーを用いてキャスティングを行う釣竿等は、釣竿に設けたリールシートのリール装着面にリールを装着して使用する（例えば、時文献１参照）。このような釣竿では、リールをリールシートに装置するために、釣竿は後方の差込み部と前方の差込み部とを有し、リールシートはこれら差込み部間に配置されている。前方の差込み部はリールシートの前方に形成されされた雄ねじ部に螺合するナット部材の構成を有しており、リールの下部に設けた取付け座部の前部を前方の差込み部に差込み、後方の差込み部を回転させて前記雄ねじ部に螺合させつつ手前に寄せてリールの座部の後部を後方の差込み部に差込むことで、リールを釣竿に固定する。
【０００３】
ところで、ルアーを用いる魚釣りでは、特にキャスティングの正確さが釣果に大きな影響を及ぼす。そのため、キャスティングの際には、指先に神経を集中させると共に、指先の力のいれ具合を極めて微妙にコントロールすることにより、釣竿のキャスティングスピードや方向等を高度に制御して、狙ったピンスポットに正確にキャストするのである。従って、この指先の感覚がキャスティングの正確さを左右すると言える。
【０００４】
【特許文献１】実開平１−８２７６５号公報
【発明の開示】
【発明が解決しようとする課題】
【０００５】
上記のように、キャスティングの正確さは、キャストする際の指先の感覚に大きく左右される。ところで、リールシートへのリールの装着は、後方の差込み部を移動させることで行うが、従来、この差込み部を移動させてリールをリールシートに装着した際に、差込み部とリールの座面との間に段差が生じてしまっていた。このような段差は、正確なキャスティングを行うには違和感を生じさせるものであった。
【０００６】
そこで、本発明は上記課題に鑑み、キャスティングの正確さを期し得るリールシートおよび釣竿の提供を課題とする。
【課題を解決するための手段】
【０００７】
本発明は、リールを釣竿に装着すべく釣竿に設けられ前記リールの座部を載置部に載置して前記座部の前後部をそれぞれ前後側の差込み部に差込むことで釣竿にリールを固定するためのリールシートであって、握り部を有するリールシート本体が設けられ、該リールシート本体の前端部の外形形状が、前記前側の差込み部を有して座部の前部を固定するための固定部材の外形形状に相当する形状に形成されていることを特徴としている。
【０００８】
上記構成において、該リールシート本体の前端部の外形形状が、前側の差込み部を有して座部の前部を固定するための固定部材の外形形状に相当する形状に形成されているから、差込み部にリールの座部を装着するようにしてリールをリールシートに装着した際に、差込み部とリールシートとの境界部に段差が生じ難くなる。したがって差込み部とリールシートとの境界部に指が接触したとしても違和感がなく、その分だけ、キャスティング等の正確さを期することが可能になる。
【０００９】
本発明のリールシートでは、載置部の側面部は平面視してリールシート本体の軸心側に向けて窪む湾曲面に形成されていることが好ましい。この構成によれば、リールを装着した状態であっても、リールシートの握りこみがし易く、且つ握りこみが楽で、ひいてはキャスティングの正確さを期することが可能になる。
【００１０】
本発明のリールシートは、握り部を握った際に手指がリールシート本体に挿通された釣竿の基部に接触するようリールシート本体に切欠が設けられていることが好ましい。この構成よれば、指先が釣竿に接触して魚信を直接的に感じることが可能となる。
【００１１】
本発明のリールシートは、載置部の上面部にリールシート本体に挿通される釣竿の基部の外周面の一部が挿入される切欠が形成されていることが好ましい。この構成によれば、その分だけリールシートが軽量化されて、キャスティングの動作がし易くなる。
【００１２】
本発明のリールシートは、載置部が下方に向けて窪むよう湾曲していることが好ましい。この構成によれば、載置部を下げた分だけ、リールの位置を低くすることができ、リールの操作性が向上する。
【００１３】
本発明のリールシートは、手指を掛けるトリガーがリールシート本体の下面に突設され、該トリガーは前後に対で配置され、前方のトリガーは切欠の後方に配置されていることが好ましい。この構成によれば、後方のトリガーを中指と薬指とで挟むようにすると、人差し指が切欠に位置し易くなり、この際、前方のトリガーに人差し指が掛かるようになり易く、したがって人差し指の位置を確実に保持することになる。
【００１４】
本発明の釣竿は、前記リールシートを備えたことにより、差込み部とリールシートとの境界部に段差が生じ難くなり、その分だけキャスティングの正確さを期することが可能になり、リールシートの握りこみがし易く、且つ握りこみが楽で、指先が釣竿に接触して魚信を直接的に感じることが可能となる。
【発明の効果】
【００１５】
本発明のによれば、リールシート本体の握り部に対する竿先側の差込み部側が、差込み部の外形形状に相当する形状に形成されているから、差込み部にリールの座部を装着してリールをリールシートに装着した際に、差込み部とリールシートとの境界部に段差が生じ難くなり、その分だけ微妙な指先の感覚ヲコントロールして、キャスティングの正確さを期することが可能になる。
【発明を実施するための最良の形態】
【００１６】
以下、本発明の実施形態を図面に基づいて説明する。図１は本発明のリールシートを装着した釣竿の使用状態を示す側面図、図２はリールシートの前方からの斜視図、図３はリールシートの正面図、図４はリールシートの平面図、図５はリールシートの底面図、図６は図４におけるＡ−Ａ線断面図である。
【００１７】
図１に示す釣竿１は、ルアー用の釣竿１で、一般にベイトリールと称される同軸リール（以下単に「リール」と称す）２が取付けられて使用されるものである。この釣竿１には、リール２を取付けるためのリールシート３を備えている。
【００１８】
リールシート３は、全体としてパイプ状に形成されたいわゆるパイプシートと称されるタイプのものが用いられており、竿本体４の竿元７（基端部）に外装されるよう取付けられている。即ち、竿本体４はリールシート３を軸方向前後に貫通している。リールシート３は、その後方側のグリップ５とともにハンドル部を構成する。
【００１９】
リールシート３は、グリップ５の前方（竿先側）に位置し竿本体４に外嵌固定されるパイプ状のシート本体８と、該シート本体８の前方に位置し竿本体４の軸方向に移動可能な筒状の可動押体（固定部材に相当する）１０と、竿本体４の外周面に装着されてシート本体８の前部に形成されたパイプ状の雄ねじ部１１に螺合することにより、竿本体４の軸方向前後に移動可能で、その後端部で前記可動押体１０を後方側に押圧して移動させる固定ナット部材１２とを備えている。
【００２０】
リールシート３はその後部が握り部９とされている。シート本体８の上面部１７には平面視略楕円形の切欠１３が形成され、シート本体８の下面部１８には底面視略楕円形の切欠１４が形成されている。シート本体８の上面部１７は側面視して下方に向けて窪む凹面に形成されている。シート本体８の両側面部１９は平面視してシート本体８の軸心８ｂに向けて窪む凹面に形成されている。シート本体８の上面部１７の前後部は、リール２の座金１５が当接して設置されるリール装着面（載置面）とされている。特に、上面部１７の切欠１３の前方にはリール２の座金１５の前端部１５ａを左右両側で載置支持する支持部１６が形成されている。該リール装着面の後方には、前方に向けて開口する差込み部２１が一体的に形成されている。
【００２１】
可動押体１０には、その上部に、後方に向けて開口する差込み部２２が形成されており、シート本体８の差込み部２１とともにリール２の座金１５を前後で支持する構成である。
【００２２】
また、下面部１８の後部には、指を引っ掛けるためのトリガー２６，２７が前後対で突設されている。該両トリガー２６，２７はリールシート３を側面視したとき、その中心線がやや前方を向くよう設定されている。また後方のトリガー２７に比べて前方のトリガー２６はその突出量を小さく設定されており、前方のトリガー２６は下側の切欠１４のやや後方に配置されている。
【００２３】
そして特に、シート本体８における差込み部２２側である前端部８ａの外形形状が、差込み部２２の外形形状に相当する形状に形成されている。この前端部８ａのさらに前方に、該前端部８ａに比べて小径の嵌合部３０が形成されている。この場合、相当する形状とは、少なくとも前端部８ａの下部の外形形状であり、キャスティング等の際に、釣人の指が接触する可能性が高い領域である。また、シート本体８における前端部８ａの前端面３１および嵌合部３０の前端面３２は、下方ほど前方に向けて傾斜する斜面に形成されている。
【００２４】
リール２をリールシート３に装着する際には、座金１５の後端部１５ｂをシート本体８の差込み部２１の開口２１ａに差込み、固定ナット１２を絞込むことで可動押体１０を後方側に押圧して移動させて、座金１５の前方側の端部１５ｂを可動押体１０の差込み部２２の開口部（符号省略）に差込んで、また固定ナット１２をの後端部を嵌合部３０に嵌合するようにし、可動押体１０をシート本体８における前端部８ａの前端面３１に当接させて、座金１５をシート本体８に固定する。
【００２５】
上記のような構成を有するリールシート３にリール２を取付けた釣竿１を用いる場合、前述のように、シート本体８の上面部１７は側面視して下方に向けて窪む凹面に形成されてその上面部１７の前後部がリール２の座金１５が設置されるリール装着面とされているから、下方に窪む分だけリール２の位置を低く設定することが可能になる。したがって、リール２（両軸リール）の軸２ａの位置が低く設定されることになるから、釣人がリール２のハンドルを回転させるときにその操作がし易い。また、上記のように、シート本体８の上面部１７は下方に向けて窪む凹面に形成されており、シート本体８の両側面部１９はシート本体８の軸心８ｂに向けて窪む凹面に形成されている。特に、シート本体８の両側面部１９はシート本体８の軸心８ｂに向けて窪む凹面に形成されていることで、釣人は違和感なくシート本体８を掌でしっくりと把持する感覚が得られるから、効果的に指先の微妙な力加減をコントロールすることができ、その分だけ、キャスティングの正確さを期することが可能になる。
【００２６】
さらに、シート本体８における前端面３１，３２は、下方ほど前方に向けて傾斜する斜面に形成されている構成であるから、その分だけシート本体８の下部の軸方向長さを長く確保することになる。したがって、シート本体８（握り部９）を把持した際に指先が差込み部２２とシート本体８の前端部８ａとの境界部分に指先が触れにくくなる。
【００２７】
シート本体８の前端部８ａの前端面３１が、差込み部２２の外形形状に相当する形状に形成されているから、可動押体１０とシート本体８の前端部８ａとの間に段差が生じないことになる。したがって、例えばキャスティング時等に、仮に差込み部２２とシート本体８の前端部８ａとの境界部分に指先が触れたとしても、それによる違和感を生じにくく、したがってその分だけ、キャスティングの正確さを期することが可能になる。このような指先の微妙な感覚は上級者ほど重視する傾向にあり、このような釣人からの要望に応じることができる。
【００２８】
ところで、キャスティングする際には、指先をリール２のスプール上に位置させ、人差し指３７と中指３８との間にトリガー２６が位置するようにして釣竿１を把持するのを好む者（釣人）もあれば、中指３８と薬指３９との間にトリガー２７が位置するようにして釣竿１を把持するのを好む者もある。中指３８と薬指３９との間にトリガー２７が位置するようにして釣竿１を把持する場合、人差し指３７が切欠１４に位置するようになる。そして、切欠１４の後方にはトリガー２６があるから、人差し指３７が切欠１４にはいったときこのトリガー２６に人差し指３７が同時に当ることで、いっそう確実なグリップ感覚が得られる。さらに、人差し指３７が竿元７に直接的に接触するようになると、いわゆる魚信（アタリ）がよみ易くなり、その分だけ素早い反応が可能となって、釣果を期待できる。
【図面の簡単な説明】
【００２９】
【図１】本発明のリールシートを装着した釣竿の使用状態を示す要部部分側面図。
【図２】同じくリールシートの前方からの要部斜視図。
【図３】同じくリールシートの要部正面図。
【図４】同じくリールシートの要部平面図。
【図５】同じくリールシートの要部底面図。
【図６】同じく図４におけるＡ−Ａ線断面図。
【符号の説明】
【００３０】
１…釣竿、２…リール、２ａ…リールの軸、３…リールシート、４…竿本体、７…竿元、５…グリップ、８…シート本体、８ａ…シート本体の前端部、８ｂ…シート本体の軸心、１０…可動押体、１１…雄ねじ部、１２…固定ナット部材、１３，１４…切欠、１５…座金、１６…支持部、１７…シート本体の上面部、２１，２２…差込み部、２６，２７…トリガー、３０…嵌合部
【図１】
2006345790.tif 000003
【図２】
2006345790.tif 000004
【図３】
2006345790.tif 000005
【図４】
2006345790.tif 000006
【図５】
2006345790.tif 000007
【図６】
2006345790.tif 000008